(57)【要約】【課題】  １組のＸリンク機構と駆動手段を用いてＸリンク機構の開閉動作を円滑にし且つコストの低減を図ると共に、固定側に対して可動側を正確に垂直方向へ摺動案内させ、昇降台を容易且つ正確に昇降移動できる載置台の昇降装置を提供する。【解決手段】  脚台３に立設した固定支柱５，６の上端側を固定側横架材７で連結した固定部側と、固定支柱５，６に沿って昇降移動可能な可動支柱９，１０の上端側を可動側横架材１１で連結すると共に、可動側横架材１１に天板２を取り付けた可動部側を備え、可動部側は係止保持又は係止解除を行うラッチ部１２Ｃを介して固定部側と着脱可能に連結され、可動側横架材１１と固定側横架材７の間に１組のＸリンク機構を設け、各リンクアーム１３，１４の一端側を可動部側と固定部側に枢着すると共に、他端側は自由端部にして可動側横架材１１と固定側横架材７に沿って直線移動可能に係合させ、各リンクアームの他端側の間をシリンダ装置１８で連結させている。【選択図】        図２
2006020866.tif 000002
【特許請求の範囲】
【請求項１】
左右の脚台上にそれぞれ固定支柱を立設し、各固定支柱の上端側を固定側横架材で連結した固定部側と、各固定支柱に沿ってスライド状態で昇降移動可能な可動支柱を連結し、各可動支柱の上端側を可動側横架材で連結すると共に、当該可動側横架材に天板を取り付けた可動部側を備え、可動部側は係止保持又は係止解除を行うラッチ部を介して固定部側と着脱可能に連結されており、前記可動側横架材と固定側横架材の間に各リンクアームを交差状に枢着した１組のＸリンク機構を設け、各リンクアームの一端側を可動部側と固定部側にそれぞれ枢着すると共に、各リンクアームの他端側は自由端部にして可動側横架材と固定側横架材に沿ってそれぞれ直線移動可能に係合させ、各リンクアームの他端側の間はＸリンク機構を開閉操作するシリンダ装置で連結させていることを特徴とした載置台の昇降装置。
【請求項２】
前記Ｘリンク機構を構成する各リンクアームの自由端部側にはそれぞれローラを装着させ、このローラが可動側横架材と固定側横架材に沿ってそれぞれ転動しながら直線移動する請求項１に記載した載置台の昇降装置。
【請求項３】
前記シリンダ装置は、常時伸長状態に付勢されている請求項１又は２に記載した載置台の昇降装置。
【請求項４】
前記シリンダ装置のばね圧は、天板と天板上に載置されたディスプレイなどの載荷重などとの総和とほぼバランスするように設定した請求項３に記載した載置台の昇降装置。
【請求項５】
前記ラッチ部は、天板の前面側に設けた可動把手を把持してその前方に設けた固定把手側へ牽引すると、係止保持状態から係止解除状態に切り換え操作できるようにした請求項１乃至４のいずれかに記載した載置台の昇降装置。
【発明の詳細な説明】
【技術分野】
【０００１】
本発明は、天板を高さ調節可能に装着した載置台の昇降装置に関するものであって、例えばパソコン用のディスプレイを載置するＯＡデスクなどの事務用机や、商品説明用のディスプレイ又は商品陳列ケースを載置する陳列用台など、高さ調節を必要とする各種の載置台に適用することができる。
【背景技術】
【０００２】
この種の昇降装置として、例えば特許文献１又は２などのように、天板の中心を１本の柱脚によって支持し、この柱脚にガススプリングやラック及びギアなどを用いた昇降機構を介して、天板の昇降を行うものがある。
【特許文献１】特許第３３９１２８５号公報
【特許文献２】特開２００２−１４２８７６号公報
【０００３】
また、特許文献３又は４などのように、２本のリンクアームを交差状に枢着したＸリンク機構を用い、このＸリンク機構を基台などの固定部側と天板などの可動部側に介在させると共に、手動のハンドル操作でＸリンク機構を開閉させることにより、天板の昇降を行うものがある。
【特許文献３】特許第２８２７１６５号公報
【特許文献４】特許第３３４６３５０号公報
【０００４】
さらに、特許文献５乃至７などのように、２本のリンクアームを交差状に枢着したＸリンク機構を用い、このＸリンク機構を基台などの固定部側と天板などの可動部側に介在させると共に、ガススプリングなどによるシリンダ装置の伸縮操作でＸリンク機構を開閉させることにより、天板の昇降を行うものがある。
【特許文献５】実公平７−２０１４３号公報
【特許文献６】特開平８−９１７８６号公報
【特許文献７】特開２００２−３０６２４９号公報
【発明の開示】
【発明が解決しようとする課題】
【０００５】
しかしながら、特許文献１又は２の場合には、天板に対して偏荷重となる載置状態で使用する際に、昇降作動が不安定になる恐れがあること、特許文献３又は４の場合には、迅速な昇降作動を行うことが困難であること、特許文献５乃至７の場合には、２本の各リンクアームのいずれか一方又は双方の端部が固定側と可動側に枢着して拘束されているので、各リンクアームが均等に作動しないと円滑な昇降移動が困難であること、などの解決を必要とする課題が残されていた。
【０００６】
また、昇降手段としてＸリンク機構を用いている特許文献３乃至７の場合には、前後又は左右に２組のＸリンク機構とリンク機構を開閉操作するハンドル又はシリンダ装置による駆動手段を用いているので、２組の各Ｘリンク機構と各駆動手段を同期した状態で連動させ、円滑な昇降移動を行うことが容易ではないと共に、材料費や組立費が嵩んで製品の製造コストの点でも不利であるから改善を必要としていた。
【０００７】
そこで本発明では、これら従来技術の課題を解決し得る載置台の昇降装置を提供するものであって、特許文献５乃至７などの場合と同様に２本のリンクアームを交差状に枢着したＸリンク機構を用いると共に、ガススプリングなどによるシリンダ装置の伸縮操作でＸリンク機構を開閉させるようにしているが、特に１組のＸリンク機構と駆動手段を用いてＸリンク機構の開閉動作を円滑にし且つコストの低減を図ると共に、固定側に対して可動側を正確に垂直方向へ摺動案内させ、昇降台を容易且つ正確に昇降移動できるようにすることを主たる目的としている。
【０００８】
また、本発明による載置台の昇降装置の他の目的としては、載置台の前面側に設けた可動把手の把持によってラッチ手段を操作し、固定側に対して可動側を係止保持又は係止解除させると共に、可動把手を把持してラッチ部を係止解除状態で押し上げ又は押し下げ操作を行うことによって、ガススプリングを伸縮作動させながらＸリンク機構を介して、天板を含む可動部側を容易に昇降移動ができるようにしている。
【課題を解決するための手段】
【０００９】
本発明による載置台の昇降装置は、左右の脚台上にそれぞれ固定支柱を立設し、各固定支柱の上端側を固定側横架材で連結した固定部側と、各固定支柱に沿ってスライド状態で昇降移動可能な可動支柱を連結し、各可動支柱の上端側を可動側横架材で連結すると共に、当該可動側横架材に天板を取り付けた可動部側を備え、可動部側は係止保持又は係止解除を行うラッチ部を介して固定部側と着脱可能に連結されている。
【００１０】
また、可動側横架材と固定側横架材の間に各リンクアームを交差状に枢着した１組のＸリンク機構を設け、各リンクアームの一端側を可動部側と固定部側にそれぞれ枢着すると共に、各リンクアームの他端側は自由端部にして可動側横架材と固定側横架材に沿ってそれぞれ直線移動可能に係合させ、各リンクアームの他端側の間はＸリンク機構を開閉操作するシリンダ装置で連結させている。
【００１１】
この載置台の昇降装置では、ラッチ部に対して係止解除操作を行うと、固定部側の固定支柱に対して可動部側の可動支柱が昇降移動可能な状態になると共に、ガススプリングその他のシリンダ装置の伸縮作動によってＸリンク機構が開閉可能な状態になるので、天板を昇降移動させた後にラッチ部に対して係止保持操作を行い、天板を所望の高さ位置に調節することができる。
【００１２】
また、Ｘリンク機構を構成する各リンクアームの自由端部側にはそれぞれローラを装着させ、このローラが可動側横架材と固定側横架材に沿ってそれぞれ転動しながら直線移動する形態を採ったり、ガススプリングその他のシリンダ装置は常時伸長状態に付勢した形態を採ったり、天板の前面側に設けた可動把手を把持してその前方に設けた固定把手側へ牽引すると、係止保持状態のラッチ部を係止解除状態に切り換え操作できる形態を採ることができる。
【００１３】
また、ガススプリングその他のシリンダ装置を常時伸長方向へ付勢すると共に、そのばね圧を天板と天板上に載置されたディスプレイなどの載荷重などとの総和とほぼバランスするように設定させておき、可動把手を把持してラッチ部を係止解除状態にして押し上げ又は押し下げ操作を行うことによって、シリンダ装置を伸縮作動させながらＸリンク機構を介して、天板を含む可動部側を昇降移動させる形態を採ることができる。
【発明の効果】
【００１４】
本発明による載置台の昇降装置では、左右の各固定支柱に対して各可動支柱をスライド可能に係合されているので、１組のＸリンク機構とシリンダ装置によって天板の昇降移動操作を行うことが可能であり、これによって従来技術の場合のように２組を連動させる必要がなく、Ｘリンク機構の開閉操作を円滑にし且つ偏荷重に対しても安定した状態で昇降移を行うことができると共に、材料費や組立費を節約して製品の製造コストを低減させることができる。
【００１５】
また、Ｘリンク機構は各リンクアームの他端側を自由端部とし、可動側横架材と固定側横架材に沿ってそれぞれ直線移動可能に係合させているので、組立寸法精度にバラツキがあったり、偏荷重が印加された場合でも、摺動案内部材に拘束されることなくＸリンク機構を円滑に開閉操作することができ、特に自由端部側にローラを装着して可動側横架材と固定側横架材の内面に沿って転動するような形態を採ると、Ｘリンク機構を一段と円滑に開閉操作することができる。
【００１６】
また、ラッチ部に対して係止解除操作を行うと、固定部側の固定支柱に対して可動部側の可動支柱が昇降移動可能な状態になるが、特にガススプリングその他のシリンダ装置を常時伸長状態に付勢した形態を採ると、複雑な制御手段を必要としないでＸリンク機構の開閉操作を行うことができる。
【００１７】
さらに、天板の前面側に設けた可動把手の操作によってラッチ部の係止保持又は係止解除ができる形態を採ると、そのまま押し上げ又は押し下げ操作をすることによって容易に天板の昇降移動を行うことができ、特にシリンダ装置のばね圧を、天板と天板上に載置されたディスプレイなどの載荷重などとの総和とほぼバランスするように設定させる形態を採ると、僅かな押し上げ力又は押し下げ力によって容易且つ安全に天板の昇降移動を行うことができる。
【実施例】
【００１８】
本発明による載置台の昇降装置について、陳列用台１に適用した好適な実施形態を示す図１乃至６の添付図面に基づいて詳細に説明すると、図１は天板２を下限位置に設定した陳列用台１の正面図であり、図２は天板２を上限位置に設定した陳列用台１の正面図であり、図３は陳列用台１における天板２の昇降移動範囲を示す側面図であり、図３（ａ）は天板２の下限位置を、図３（ｂ）は天板２の上限位置をそれぞれ示す。
【００１９】
陳列用台１は、前後に延在する態様で左右に脚台３，４を設け、この脚台３，４には必要に応じてキャスター（図示せず）を取付けて走行可能にすると共に、脚台３，４の後方側からは固定支柱５，６をそれぞれ立設させ、上端側と下端側の間を固定側横架材７と脚台側横架材８でそれぞれ連結し、固定支柱５，６には可動支柱９，１０を昇降移動可能に係合させ、可動支柱９，１０の上端側を可動側横架材１１で連結している。
【００２０】
昇降装置は、上限位置と下限位置の間で天板２をＸリンク（クロスリンク）機構によって昇降駆動させるリフト部１２Ａと、リフト部１２Ａによる天板２の昇降駆動に連動して、可動支柱９，１０を固定支柱５，６に沿って昇降案内させるスライド部１２Ｂと、常時は天板２の高さ位置を一定に係止保持すると共に、天板２の高さ位置を調節する際には係止解除するラッチ部１２Ｃとで構成されている。
【００２１】
リフト部１２Ａは、リンクアーム１３，１４を交差状にして中点を軸ピン１５で回転可能に枢着し、一方のリンクアーム１３は一端側を固定部側である固定支柱５又は固定側横架材７と回転可能に枢着すると共に、他端側には可動側横架材１１の下面に沿って転動するローラ１６を設け、他方のリンクアーム１４は一端側を可動部側である可動支柱９又は可動側横架材１１と回転可能に枢着すると共に、他端側には固定側横架材７の上面に沿って転動するローラ１７を設け、これによってＸリンク機構を構成している。
【００２２】
また、リフト部１２ＡにはＸリンク機構を操作するために、例えばガススプリングや油圧又は空気圧シリンダなどのシリンダ装置１８を用い、このシリンダ装置１８を縮短させた際には各リンクアーム１３，１４の両端が近接する閉じた状態となり、シリンダ装置１８を伸長させた際には各リンクアーム１３，１４の両端が離間する開いた状態となるように、リンクアーム１４のローラ１７の端部とリンクアーム１３のローラ１６との中間位置の間に架設状態で連結させている。
【００２３】
すなわち、リフト部１２Ａは図４で詳細を示すように、前後に配置した内側のリンクアーム１３，１３と、その外側に配置したリンクアーム１４，１４との中点を軸ピン１５で枢着し、リンクアーム１３，１３及びリンクアーム１４，１４の他端側端部には、カラー１９，２０を介してローラ１６，１７を軸ピン２１，２２で回転可能に枢着させると共に、リンクアーム１３，１４にはスペーサブラケット２３，２４を介してシリンダ装置１８の両端部を軸ボルト２５，２６によって枢着させている。
【００２４】
スライド部１２Ｂは、図５で詳細を示すように、可動支柱９，１０の内面側にチャンネル状のガイドレール２７，２８を縦長に装着させると共に、固定支柱５，６の外面側にはローラ２９，３０を支軸３１，３２で枢着させ、このローラ２９，３０がガイドレール２７，２８内を転動しながら、固定支柱５，６に対して可動支柱９，１０が昇降移動できるようにしているが、図示の実施形態に限定されることなく、公知の各種摺動案内機構に置換することが可能である。
【００２５】
ラッチ部１２Ｃは、図６及び図７で詳細を示すように、天板２の前面側には固定把手３３を設けると共に、天板２内に設けたラッチ板３４と連結させた可動把手３５が固定把手３３の内側に配置されており、このラッチ板３４は後端側を揺動回転板３６に枢着させ且つ、牽引ばね３７によって常に後方側へ付勢されるようにし、固定把手３３と可動把手３５を同時に把持すると、牽引ばね３７の付勢力に抗してラッチ板３４が前面側に移動されるので、天板２側に枢着する支軸３８を中心にして揺動回転板３６が揺動回転する。
【００２６】
また、揺動回転板３６は係止軸３９を介して縦長に延在するロック板４０の上端側に連結されており、ロック板４０は中間部が図５で詳細を示すように、連結ピン４１を介して可動支柱９，１０側の支持ブラケット４２に枢着されていると共に、ロック板４０の下端側には固定支柱５，６側の固定側横架材７に設けた係止孔４３と着脱可能な係止フック４４が突設され、常時は係止孔４３に係止フック４４が嵌合した状態で、天板２を含む可動支柱９，１０側は固定支柱５，６側に係止保持されている。
【００２７】
この係止保持状態の時に、固定把手３３と可動把手３５の把持操作でラッチ板３４を介して、揺動回転板３６を所定のストローク分だけ揺動回転させると、ロック板４０は連結ピン４１を支点に上端側は前方側へ下端側は後方側へ揺動回転され、これによって係止孔４３に嵌合していた係止フック４４が離脱して係止解除されるので、固定支柱５，６側に対して可動支柱９，１０側は昇降移動が可能な状態となから、シリンダ装置１８を伸縮作動させて天板２を所望の高さ位置に調節することができる。
【００２８】
この実施形態では、シリンダ装置１８として常に伸長する方向に付勢されたガススプリングを用いると共に、このガススプリングのばね圧が天板２と天板２上に載置されたディスプレイなどの載荷重などとの総和とほぼバランスするように設定されており、可動把手３５を把持してラッチ部を係止解除状態にした後に、押し上げ又は押し下げ操作を行うことによって、ガススプリングを伸縮作動させながらＸリンク機構を介して、天板２を含む可動部側を昇降移動させることができる。
【００２９】
この昇降移動時には、ガススプリングによるシリンダ装置１８の伸縮作動でＸリンク機構を開閉操作させると、各リンクアーム１３，１４の自由端部側に装着させたローラ１６，１７が、可動側横架材１１と固定側横架材７に沿って転動すると共に、ガイドレール２７，２８内をローラ２９，３０が転動しながら、固定支柱５，６に沿って可動支柱９，１０が摺動案内された状態で天板２の昇降移動が行われるので、横揺れや偏荷重などがない状態で円滑な昇降移動を行うことが可能である。
【００３０】
なお、ガススプリングの制御を容易にするために図示の実施例を採っているが、可動把手３５を把持操作した際にガススプリング内に設けた２室のガス室が連通するように、可動把手３５の把持操作に連動させるスイッチと制御回路を設け、可動把手３５を把持した状態で天板２を押し上げ又は押し下げ操作することによって、一方のガス室から他方のガス室へ又は他方のガス室から一方のガス室へ流動させながら、ガススプリングを伸縮作動させてＸリンク機構により天板２の昇降移動させる形態を採ることも可能である。
【００３１】
また、図示の実施例では可動側横架材１１と固定側横架材７の内面側に沿って、ローラ１６，１７が転動するようにし、ローラ１６，１７の組み込み作業を容易にすると共に、ローラ１６，１７が上下方向の規制を受けずに円滑に摺動案内されるようにしているが、各リンクアーム１３，１４の自由端部側は可動側横架材１１と固定側横架材７に沿って直線移動できる構造ならば他の形態を採ることも可能であり、例えばローラ１６，１７が可動側横架材１１と固定側横架材７のチャンネル溝内を転動するようにしたり、ローラの代わりにチャンネル溝内を摺動するスライダを各リンクアーム１３，１４の他方側端部に装着する形態もある。
【００３２】
また、図示の実施例では可動把手３５の把持操作でラッチ部による可動部側の係止保持又は係止解除を行うようにしたので、可動把手３５を把持した状態でそのまま天板２の昇降移動を一連の操作で容易に行うことが可能であるが、可動把手３５を設けない別のラッチ操作手段によって、係止孔４３に対する係止フック４４の係止保持又は係止解除を行う形態を採ることも可能であり、上下位置と下限位置以外の中間位置にも１乃至複数の係止孔４３を設け、３段階以上の多段階に天板２の高さ調整を行うような形態を採るようにすることも可能である。
【００３３】
なお、この実施例では載置台として陳列用台を例示して本発明を説明しているが、例えばＯＡデスクなどの事務用机に適用する場合には、キーボードやマウスなどを載置するテーブルを固定支柱５，６上に取付け、このテーブル面の上方でディスプレイを載置した天板２を昇降移動させる形態を採ることもできる。
【図面の簡単な説明】
【００３４】
【図１】本発明による載置台の昇降装置を陳列用台に適用した実施例であって、天板を下限位置に設定した陳列用台の正面図を示す。
【図２】本発明による載置台の昇降装置を陳列用台に適用した実施例であって、天板を上限位置に設定した陳列用台の正面図を示す。
【図３】図１及び２の陳列用台における天板の昇降移動範囲を示す側面図であり、図３（ａ）は天板の下限位置を、図３（ｂ）は天板２上限位置をそれぞれ示す。
【図４】陳列用台の昇降装置を構成し、上限位置と下限位置の間で天板をＸリンク機構によって昇降駆動させるリフト部の要部縦断面図を示す。
【図５】陳列用台の昇降装置を構成し、可動支柱を固定支柱に沿って昇降案内させるスライド部と、天板の高さ位置を係止保持又は係止解除するラッチ部の部分横断面図を示す。
【図６】天板の高さ位置を係止保持又は係止解除するラッチ部の部分平面図を示す。
【図７】天板の高さ位置を係止保持又は係止解除するラッチ部の部分縦断面図を示す。
【符号の説明】
【００３５】
１  陳列用台
２  天板
３，４  脚台
５，６  固定支柱
７  固定側横架材
８  脚部側横架材
９，１０  可動支柱
１１  可動側横架材
１２Ａ  リフト部
１２Ｂ  スライド部
１２Ｃ  ラッチ部
１３，１４  リンクアーム
１５，２１，２２  軸ピン
１６，１７，２９，３０  ローラ
１９，２０  カラー
２３，２４  スペーサブラケット
２５，２６  軸ボルト
２７，２８  ガイドレール
３１，３２，３８  支軸
３３  固定把手
３４  ラッチ板
３５  可動把手
３６  揺動回転板
３７  牽引ばね
３９  係止軸
４０  ロック板
４１  連結ピン
４２  支持ブラケット
４３  係止孔
４４  係止フック
【図１】
2006020866.tif 000003
【図２】
2006020866.tif 000004
【図３】
2006020866.tif 000005
【図４】
2006020866.tif 000006
【図５】
2006020866.tif 000007
【図６】
2006020866.tif 000008
【図７】
2006020866.tif 000009